(57)【要約】【課題】  本発明は、地面に密着して掃き損じて掃き集めできなかったゴミを掃き集めできるほうきの毛。【解決手段】  柄１と、甲２と、毛４を束ねて集成した毛部３と、で構成されたほうきにおいて、各々毛４は、軸線方向に直角な方向の断面が、略正三角形又は略正四角形の形状を備えた細長い線条の線条体５の毛４であって、該毛４の中央部には、軸線方向へ、ひねりの軸となる中軸部９が備わってあり、さらに、該中軸部９の軸を中心に、ひねりを加えながら回転させて形成された螺旋状を備えた毛４であり、更に、前記螺旋状の外側の縁１０に沿って、凹凸状に形成された凹凸部８が設けられてあり、線条体５の螺旋の形状が掃く方向に対して斜めに傾斜していて、尚且つ、前記凹凸部８が設けられているため、ゴミのひっかかりが良く、ゴミの掃き集めが容易になるほうきの毛。【選択図】  図１
2013223617.tif 000002
【特許請求の範囲】
【請求項１】
柄と、甲と、毛を束ねて集成した毛部と、で構成されたほうきにおいて、各々毛は、軸線方向に細長い線条と，軸線方向に直角な方向の断面が略正三角形或いは略正四角形の形状と，を備えた線条体であり、該線条体の中央部には、軸線方向へ軸となる部分の中軸部が備えられてあり、該中軸部を軸にした螺旋状が形成されたことを特徴とするほうきの毛。
【請求項２】
前記各々毛は、軸線方向に直角な方向の断面が略正三角形の形状を備えた線条体であることを特徴とする請求項１に記載のほうきの毛。
【請求項３】
前記毛は、螺旋状の外側の縁に沿って、多数の凹凸状の凹凸部が設けられていることを特徴とする請求項１に記載のほうきの毛。
【発明の詳細な説明】
【技術分野】
【０００１】
本発明はごみを容易に掃き集めるほうきの毛に関するものである。
【背景技術】
【０００２】
従来、ほうきでゴミを掃き集める場合において各々毛はゴミの表面を撫でながら掃き集めていた為、ゴミは掃き残ってしまう．その為、地面や床に密着したゴミは重複しながら複数回掃き重ねて掃き集めなければならなかった。
【０００３】
従来は、直線形状の毛自体を波形状にしたもの。毛に枝毛を設けたもの、又は毛先を多数に枝分かれさせたもしかなかった。
【０００４】
又、その他として、次のようなものがあった、特許文献１に、各々毛の表面に枝毛を設けた歯ブラシの毛の改良が開示されている。一方、特許文献２〜６には、毛先部分の改良されたものが開示されているが、加工方法は異っても、毛先を高温で球状体等にして、研磨や洗浄等に用いるために加工されたものである。
【先行技術文献】
【特許文献】
【０００５】
【特許文献１】特開２００９−１７２３４４号公報
【特許文献２】特開昭４８−９３１６０号公報
【特許文献３】特表平５−５０２６００号公報
【特許文献４】特開平８−７０９３３号公報
【特許文献５】特開２００５−３４４６５号公報
【特許文献６】特開２００７−２３６８８９号公報
【発明の開示】
【発明が解決しようとする課題】
【０００６】
しかしながら、上述のように、従来のほうきの毛では、ゴミを掃き集める際に、掃き損じたゴミを集めるためには、掃き集め行動を繰り返しながら行なわなければならなかった。又、上記特許文献１に開示されたものは、単に枝毛を設けて汚れを掻き出すものである。更に、特許文献２〜６に開示されたものは、毛先の加工技術であって、使用する度に、毛先が摩耗して、すり減り無くなってしまうため、ほうきの毛に応用するには適さない。
【０００７】
その為、本発明の根底をなす課題は、毛先がすり減っても掃き損じのない掃き集め効果を持続させ、容易にゴミを掃き集めできるほうきの毛を提供することを目的とする。
【課題を解決するための手段】
【０００８】
そこで本発明にあっては、上記課題を解決するために講じた本発明の第一手段は、次のとおりである。柄と、甲と、毛を束ねて集成した毛部と、で構成されたほうきにおいて、各々の毛は、軸線方向に細長い線条と，軸線方向に直角な方向の断面が略正三角形或いは略正四角形の形状と，を備えた線条体であり、該線条体の中央部には、軸線方向へ軸となる部分の中軸部が備えられてあり、該中軸部を軸にした螺旋状が形成されたことを特徴とするほうきの毛。
【０００９】
これによれば、細長い線条の前記線条体は、軸線方向に直角な方向の断面が略正三角形或いは略正四角形の形状が設けられてあり、該線条体の中央部には、軸となる部分の前記中軸部が備えられ、該中軸部を中心軸にして、ひねりを加えながら回転させ、右捲き、または、左捲きの螺旋状に形成された前記毛である。
【００１０】
第二手段の前記各々毛は、軸線方向に細長い線条と、軸線方向に直角な方向の断面が、略正三角形の形状と、を備えた前記線条体のほうきの毛である。
【００１１】
これによれば、前記線条体を略正三角形の形状にすることで、螺旋と螺旋の間隔が均一の螺旋状に形成されやすい。又、三方により尖った角を設けることができ、又、周囲への適宜なしなり具合も保持される。
【００１２】
又、前記毛は、螺旋状の外側の縁に沿って多数の凹凸状の凹凸部が設けられたことを特徴とする第一手段、第二手段のほうきの毛である。
【００１３】
これによれば、該毛は、前記線条体の外側の縁に切れ間、或いは、突起状を備えた多数の凹凸部が設けられてあり、ゆるやかな傾斜の螺旋状に沿って形成されている。
【００１４】
該毛は、ゴミを掃く方向に対して斜め方向へ傾斜した螺旋形状を設け、更に、凹凸部も備えてあり、ゴミの引き寄せを容易にする形に形成されている。
【００１５】
又、前記毛は、螺旋状の外側の縁に沿って、ゴミをかき寄せるための多数の凹凸状の凹凸部が設けられている。該凹凸部は、波形の形状が望ましい。以上から解るように、前記毛の毛先が摩耗しても良いように、螺旋状と凹凸状が連続して形成されている。
【発明の効果】
【００１６】
本発明のほうきの毛は、毛先から毛元付近まで螺旋状に形成されてあるため、毛先がすり減っても効果は半減しない。又、しなり具合も保たれ、さらに、掃く方向に対して、斜めに傾斜した毛であるため、従来の毛に比べてゴミの引っ掛かりが良い。又、凹凸部が、かき寄せる爪の役目をして、ゴミの掃き集めを容易にする、又、いままで反復していた掃き回数を減らしながらゴミを掃き集めできるため、時間短縮になり、掃き掃除が容易になる。
【図面の簡単な説明】
【００１７】
【図１】本発明の実施例のほうきの毛部分の概略図である。
【図２】本発明に係る別の実施例を示すほうきの毛部分の概略図である。
【図３】この発明の実施例のほうきの全体構造図である。
【発明を実施するための最良の形態】
【００１８】
以下発明の実施の形態について、図面を参照しつつ詳細に説明すれば、図１〜図３は本発明の実施例を示すもので、ほうきの毛４は、細長い線条で軸線方向に直角な方向の断面は、略正三角形を設けた線条体５に形成されている。該毛４の素材としては、合成樹脂材、特にポリプロピレン材が望ましい。
【００１９】
図１に示すように、該線条体５の中央部に、該毛４の毛先６から毛元７方向へ軸となる中軸部９が備わっていて、該中軸部９を軸に、右巻きにひねりを加えて螺旋状に形成されている。該螺旋状の外側の縁１０の角が斜め方向に形成されている。又、ひねりを加える方向は、左ひねり、あるいは、右ひねりのどちらでもかまわない。各々の尖った角は、床面に傷が付かない程度に、やや丸くするのが望ましい。
【００２０】
図２に示すように、該線条体５は、略正四角形の形状になっている。該略正四角形の外側には、四つの縁１０が、ゆるやかな傾斜の螺旋状に形成されている。
【００２１】
略正三角形、或いは、略正四角形の毛４の縁１０には、毛先６から毛元７方面へ凹凸状の凹凸部８が設けられている。該凹凸部８は、波状の形にするのが望ましい。又、該凹凸８を、先に形成して、その後に螺旋状に形成するのが好ましい。
【００２２】
図３は、実施例のほうきの全体構造図を示すが、柄１と、甲２と、毛部３と、毛４と、で構成され、毛部３には、螺旋状に形成された各々毛４が林立されている。
【００２３】
この実施形態のほうきの使用法について説明すると、単に従来通りの掃きそうじをするだけで容易にごみの掃き集めができる。又、毛４は、螺旋状であり、その上、毛先６から毛元７方向へ多数の波形の凹凸部８が設けられているため、毛先６部分が、摩耗してすり減った場合でも、掃き集める効果は持続され、又、毛先６部分が不揃いになった場合は、毛先６を切り揃えることも可能である。
【００２４】
このように、螺旋の形状と凹凸部８が、ゴミを引き寄せる爪の役目も兼ねるため、ゴミの掃き集めを容易にすることができる。
【００２５】
又、本発明は、上記実施の形態や実施例には限定されるものではなく、特許請求の範囲において、たとえば、凹凸部の形状は、大小に関係なく、のこぎり状や、切れ目、あるいは、切れ間等、各部材の形状や素材等、適宜変更可能である。
【符号の説明】
【００２６】
Ｓ        ほうき
１        柄
２        甲
３        毛部
４        毛
５        線条体
６        毛先
７        毛元
８        凹凸部
９        中軸部
１０      縁
【図１】
2013223617.tif 000003
【図２】
2013223617.tif 000004
【図３】
2013223617.tif 000005